(57)【要約】【課題】電子ペーパに機密画像データが格納されている場合、必要に応じて機密画像を表示と非表示（機密画像を正常に読み取れないようにする）が選択できる。【解決手段】電子ペーパ１１に機密画像データとマスクデータが格納される。電子ペーパ１１は、普段は、マスクデータに基づくマスク画像を表示する。所定条件が成立すると、電子ペーパ１１は機密画像データを表示し、その後、所定条件が不成立になると、再びマスク画像を表示する。所定条件として、正しいキーデータをもつキーユニット３１が電子ペーパ１１に接続されている。キーユニット３１が接続されてから、所定時間が経過していない、環境の明るさが暗くなる、または、電子ペーパ１１が所定場所内に在る、などが採用できる。【選択図】図２
2009157036.tif 000002
【特許請求の範囲】
【請求項１】
外部機器と接続して、機密画像を表わす機密画像データを前記外部機器から入力するデータ入力部と、
前記機密画像データ及びマスクデータを記憶するデータメモリと、
画像を表示する表示パネルと、
前記データ入力部、前記データメモリ、及び前記表示パネルを制御する制御部と
を備え、
前記制御部は、
マスク有効モードとマスク解除モードのいずれかを選択するモード選択手段と、
マスク有効モードが選択されたときに、前記マスクデータに基づいて、人がそれを見ても前記機密画像を正しく読み取ることができないマスク画像を前記表示パネルに表示させるマスク手段と、
マスク解除モードが選択されたときに、前記機密画像データに基づいて前記機密画像を前記表示パネルに表示させるマスク解除手段と
を有する可搬型画像記録表示装置。
【請求項２】
請求項１に記載の可搬型画像記録表示装置において、
前記モード選択手段は、前記可搬型画像記録表示装置が前記外部機器から切り離されているとき、所定の条件が不成立のときには前記マスク有効モードを選択し、所定の条件が成立したときにのみ前記マスク解除モードを選択する可搬型画像記録表示装置。
【請求項３】
請求項２に記載の可搬型画像記録表示装置において、
キーデータを外部から入力するキーデータ入力手段をさらに有し、
前記モード選択手段は、前記可搬型画像記録表示装置が前記外部機器から切り離されているとき、前記キーデータ入力手段から入力されたキーデータが正しいか否かをチェックし、前記入力されたキーデータが正しいと判断されたならば前記所定の条件が成立したと判断する可搬型画像記録表示装置。
【請求項４】
請求項３に記載の可搬型画像記録表示装置において、
キーデータを記憶する外部のキーユニットと接続可能であり、
前記モード選択手段は、前記可搬型画像記録表示装置が前記外部機器から切り離されているとき、前記キーユニットが前記可搬型画像記録表示装置に接続されていなければ前記一定の条件が不成立と判断する可搬型画像記録表示装置。
【請求項５】
請求項２〜４のいずれか一項に記載の可搬型画像記録表示装置において、
前記モード選択手段は、前記可搬型画像記録表示装置が前記外部機器から切り離されているとき、前記所定の条件が成立したときであっても、所定の別の条件が成立したならば前記マスク有効モードを選択する可搬型画像記録表示装置。
【請求項６】
請求項５に記載の可搬型画像記録表示装置において、
時間を計測する時計手段を更に備え、
前記モード選択手段は、前記可搬型画像記録表示装置が前記外部機器から切り離されているとき、前記時計手段により計測された時間が所定時間を超えたならば、前記所定の別の条件が成立したと判断する可搬型画像記録表示装置。
【請求項７】
請求項５または６のいずれか一項に記載の可搬型画像記録表示装置において、
前記可搬型画像記録表示装置の周囲の明るさを検出する光検出手段を更に備え、
前記モード選択手段は、前記可搬型画像記録表示装置が前記外部機器から切り離されているとき、前記光検出手段により検出された明るさが所定値以下であることが検出されたならば、前記所定の別の条件が成立したと判断する可搬型画像記録表示装置。
【請求項８】
請求項５〜７に記載の可搬型画像記録表示装置において、
前記可搬型画像記録表示装置の位置が所定場所内であるか外であるかを検出する位置検出手段を更に備え、
前記モード選択手段は、前記可搬型画像記録表示装置が前記外部機器から切り離されているとき、前記位置検出手段により前記可搬型画像記録表示装置の位置が前記所定場所外にあると検出されたならば、前記所定の別の条件が成立したと判断する可搬型画像記録表示装置。
【請求項９】
請求項１〜７のいずれか一項に記載の可搬型画像記録表示装置において、
前記可搬型画像記録表示装置の位置が所定場所内であるか外であるかを検出する位置検出手段を更に備え、
前記モード選択手段は、前記可搬型画像記録表示装置が前記外部機器から切り離されているとき、前記位置検出手段により前記可搬型画像記録表示装置の位置が前記所定場所内にあると検出されたならば、前記所定の条件が成立したと判断する可搬型画像記録表示装置。
【請求項１０】
請求項１〜９のいずれか一項に記載の可搬型画像記録表示装置と接続して、前記可搬型画像記録表示装置に前記機密画像データを書き込むためのデータ書込み装置において、
前記機密画像データを前記可搬型画像記録表示装置に書込む機密画像データ書込み手段と、
前記可搬型画像記録表示装置を制御して、前記マスク画像を表示させるマスク画像表示手段と、
前記可搬型画像記録表示装置を制御して、前記機密画像を表示させる機密画像表示手段と
を備えるデータ書込み装置。
【請求項１１】
請求項１０に記載のデータ書込み装置において、
前記マスクデータを前記可搬型画像記録表示装置に書込むマスクデータ書込み手段を更に備えるデータ書込み装置。
【請求項１２】
請求項２に記載の可搬型画像記録表示装置と接続して、前記可搬型画像記録表示装置に前記機密画像データを書き込むためのデータ書込み装置において、
前記機密画像データを前記可搬型画像記録表示装置に書込む機密画像データ書込み手段と、
前記マスクデータを前記可搬型画像記録表示装置に書込むマスクデータ書込み手段と、
前記所定の条件が成立したか否かを判断するために前記可搬型画像記録表示装置によって使用する条件データを前記可搬型画像記録表示装置に書込む条件データ書込み手段と、
前記可搬型画像記録表示装置を制御して、前記マスク画像を表示させるマスク画像表示手段と、
前記可搬型画像記録表示装置を制御して、前記機密画像を表示させる機密画像表示手段と
を備えるデータ書込み装置。
【請求項１３】
請求項１２に記載のデータ書込み装置において、
前記条件データ書込み手段により前記可搬型画像記録表示装置に前記条件データが書き込まれる前は、前記機密画像表示手段が機能せず、前記条件データが書き込まれた後に、前記機密画像表示手段が機能するデータ書込み装置。
【発明の詳細な説明】
【技術分野】
【０００１】
本発明は、電子ペーパに代表される可搬型画像記録表示装置及びこれに画像データを書込むためのデータ書込み装置に関し、特に、可搬型画像記録表示装置に書き込まれた画像データのセキュリティと電子ペーパの使い勝手の向上のための改良に関する。
【背景技術】
【０００２】
会議などで使用された電子ペーパに表示された画像が機密情報を表している場合は少なくない。この機密情報の外部への漏えいを防ぐために、会議室などを退場するときに電子ペーパが室外に持ち出されたことが無線タグ（ＲＦＩＤタグ）等によって検知されると、その電子ペーパに記録されたデータが全て削除されるセキュリティシステムが知られている（例えば、特許文献１参照）。また、バッテリ付電子ペーパにおいて、電子ペーパからバッテリを抜くとその電子ペーパに記録されたデータが削除されるセキュリティシステムも知られている。（例えば、特許文献２参照）
【特許文献１】特開２００４−７８８０８号公報
【特許文献２】特開２００６−３５０１９０号公報
【発明の開示】
【発明が解決しようとする課題】
【０００３】
しかしながら、前記従来のセキュリティシステムによれば、電子ペーパから一度データが削除されると再びそのデータを再表示させることができない。また、特許文献１に記載された電子ペーパのセキュリティシステムでは、例えば、関連する会議において会議室を移動した場合は、他の会議室では前の会議記録などを読むことができないので、電子ペーパの使い勝手が悪い。さらに、特許文献２に記録された電子ペーパのセキュリティシステムにおいては、例えば、会議の途中で電池が消耗して電池交換を行うと、これまでの会議記録が全て消えてしまうので、やはり、電子ペーパの使い勝手が悪い。
【０００４】
本発明は上述の事情に鑑みてなされたものであり、電子ペーパに代表される可搬型画像記録表示装置において、そこに機密画像データが書き込まれている場合に、必要に応じて機密画像を表示したり、表示しなかったり（正常に読み取れないようにしたり）することを目的とする。
【課題を解決するための手段】
【０００５】
本発明の一つの側面に従う可搬型画像記録表示装置は、外部機器と接続して、機密画像を表わす機密画像データを前記外部機器から入力するデータ入力部と、前記機密画像データ及びマスクデータを記憶するデータメモリと、画像を表示する表示パネルと、前記データ入力部、前記データメモリ、及び前記表示パネルを制御する制御部とを備え、前記制御部は、マスク有効モードとマスク解除モードのいずれかを選択するモード選択手段と、マスク有効モードが選択されたときに、前記マスクデータに基づいて、人がそれを見ても前記機密画像を正しく読み取ることができないマスク画像を前記表示パネルに表示させるマスク手段と、マスク解除モードが選択されたときに、前記機密画像データに基づいて前記機密画像を前記表示パネルに表示させるマスク解除手段とを有する。
【０００６】
上記の可搬型画像記録表示装置によれば、そこに機密画像データが記憶されている場合に、必要なときにはマスク解除モードを選択することで、機密画像を表示することができ、必要ないときにはマスク有効モードを選択することで、マスク画像を表示して、人が機密画像を正常に読み取れないようにすることができる。ここで、マスク画像としては、例えば、機密画像とは全く関係のない別の画像、機密画像の一部をマスクで隠した画像、機密画像をスクランブルするなど変形または暗号化した画像などが採用できる。マスク画像が表示されているときでも、機密画像データは可搬型画像記録表示装置内に保持されているから、その後に再びマスク解除モードが選択されれば、機密画像が再表示される。
【０００７】
一つの好適な実施形態では、前記モード選択手段は、可搬型画像記録表示装置が外部機器から切り離されているとき、所定の条件が不成立のときにはマスク有効モードを選択し、所定の条件が成立したときにのみマスク解除モードを選択するようになっている。従って、可搬型画像記録表示装置が外部機器から切り離されているときには、上記所定の条件が成立しない限り機密画像は表示されない。従って、例えば、執務室内で可搬型画像記録表示装置を外部機器に接続して機密画像データをそこに書き込んだ後、その可搬型画像記録表示装置を外部機器から切り離して会議室へ持っていき、その会議室内でのみ（または会議中にのみ）上記所定の条件を成立させるように可搬型画像記録表示装置を使用すれば、会議室内で（または会議中に）だけ機密画像が表示され、それ以外の場所（または時）にマスク画像が表示されるようにすることができる。その後、もし別の会議室で会議が再開したならば、その時に上記所定条件を再成立させれば、機密画像を再表示することができる。
【０００８】
また、一つの好適な実施形態では、可搬型画像記録表示装置が、キーデータを外部から入力するキーデータ入力手段をさらに備える。そして、モード選択手段は、可搬型画像記録表示装置が外部機器から切り離されているときに、上記キーデータ入力手段から入力されたキーデータが正しいか否かをチェックし、正しいと判断されたときに上記所定条件が成立したと判断する。従って、例えば、会議室内（または会議開始直前に）でキーデータを可搬型画像記録表示装置に入力するようにすれば、会議室に入った後（または会議開始時）に、マスク画像から機密画像へ表示を切り返えることができる。
【０００９】
さらに、一つの好適な実施形態では、キーデータを記憶する外部のキーユニットを可搬型画像記録表示装置に接続可能であり、モード選択手段は、そのキーユニットが可搬型画像記録表示装置に接続されていなければ上記所定条件が不成立と判断する。これにより、キーユニットを可搬型画像記録表示装置に接続してないときには、マスク画像が表示される。従って、例えば、会議室外（または会議中以外の時）には、キーユニットを可搬型画像記録表示装置から切り離すようにすることで、会議室内（または会議中）にだけ機密画像を表示することができる。
【００１０】
さらに、変形例として、上記所定条件が成立したときであっても、所定の別の条件が成立したならば、マスク有効モードを選択するようにしてもよい。ここで、上記別の条件としては、例えば、(１)時間（例えば、現在時刻、画像書き込み時からの経過時間、または、所定条件成立時からの経過時間など）を計測して、計測された時間が所定時間を超えたこと、(２)可搬型画像記録表示装置の周囲の明るさを検知して、その明るさが所定値以下に暗いこと、または、(３)可搬型画像記録表示装置の位置が所定場所外であること、などが採用することができる。上記(１)の方法を用いると、例えば、会議が終了した時に、上記（２）の方法を採用すると、例えば、会議室の照明が消えたり、可搬型画像記録表示装置がカバンの中に入れられたりした時に、また、上記（３）の方法を使用すると、可搬型画像記録表示装置が会議場所外へ持ち出された時に、それぞれ、機密画像からマスク画像に自動的に表示を切り替えることができる。
【００１１】
また、別の変形例として、上記の所定条件として、上記キーコードの入力および/又は上記キーユニットの接続に代えて、または、それと併用して、可搬型画像記録表示装置の位置が所定場所内に在るという条件を、採用することもできる。これにより、例えば、可搬型画像記録表示装置が会議場所外へ持ち出された時に、機密画像からマスク画像に自動的に表示を切り替えることができる。
【００１２】
また、本発明は、上記の可搬型画像記録表示装置に機密画像データを書込むためのデータ書込み装置も提供する。このデータ書込み装置は、前記機密画像データを前記可搬型画像記録表示装置に書込む機密画像データ書込み手段と、前記可搬型画像記録表示装置を制御して、前記マスク画像を表示させるマスク画像表示手段と、前記可搬型画像記録表示装置を制御して、前記機密画像を表示させる機密画像表示手段とを備える。
【００１３】
上記データ書込み装置によれば、可搬型画像記録表示装置に機密画像データを書き込んだ後、可搬型画像記録表示装置上に、機密画像を表示させたり、マスク画像を表示させたりして、ユーザに両画像を確認させることができる。
【００１４】
一つの好適な実施形態では、データ書込み装置は、上記マスクデータを可搬型画像記録表示装置に書込むマスクデータ書込み手段を更に備える。このように可搬型画像記録表示装置に外部から任意のマスクデータを書き込めることで、シチュエーションに応じて適当なマスク画像を表示させるようにすることができる。他方、可搬型画像記録表示装置内に予め、固定的なマスクデータが用意されていても勿論よい。
【００１５】
また、一つの好適な実施形態では、データ書込み装置は、上記所定条件が成立したか否かを判断するために可搬型画像記録表示装置によって使用されることになる条件データを、前記可搬型画像記録表示装置に書込む条件データ書込み手段を更に有する。可搬型画像記録表示装置に書き込まれる条件データを変えることで、上記所定条件の具体的な内容（例えば、上記キーコードの具体的な値、上記時間の具体的な値など）を変えることができる。
【００１６】
また、一つの好適な実施形態では、データ書込み装置の上記機密画像表示手段は、上記条件データが可搬型画像記録表示装置に書き込まれる前は、機能せず、条件データが書き込まれた後に、機能するようになっている。従って、データ書込み装置上の可搬型画像記録表示装置に機密画像が表示されるかどうかをチェックすることで、条件データが正常に可搬型画像記録表示装置に書き込まれたたかどうかを確認することができる。
【発明の効果】
【００１７】
本発明によれば、電子ペーパに代表される可搬型画像記録表示装置において、そこに機密画像データが書き込まれている場合に、必要に応じて、機密画像を表示したり、表示しなかったり（正常に読み取れないようにしたり）することができる。
【発明を実施するための最良の形態】
【００１８】
図１は、本発明に係る可搬型画像記録表示装置の一実施形態（以下、「電子ペーパ」という）及び電子ペーパへのデータ書込み装置の一実施形態の全体構成を示す。図1において、データ書込み装置は、一例として、ＭＦＰ（Multi Function Printer；多機能プリンタ）１として実現されており、このＭＦＰ１は、プリンタ部３、スキャナ部５、制御パネル部７、及びホルダ部９を備え、ホルダ部９には電子ペーパ１１が接続可能である。
【００１９】
説明を分かり易くするために、執務室と会議室を別に有する会社を例にとる。ＭＦＰ１は例えば執務室に設置され、そのＭＦＰ１にはそれに接続されたパーソナル端末（図示省略）から、会議資料の文書のデータが送信されてくるものとする。その文書が、機密文書である場合と、そうでない場合とがある。利用者は、ＭＦＰ１のホルダ部９に電子ペーパ１１を接続する。ＭＦＰ１は、受信した文書データをレンダリングしてその文書の画像データを生成し、その画像データを、ホルダ部９に接続された電子ペーパ１１に、以下のようにして書き込む。
【００２０】
すなわち、ＭＦＰ１は、電子ペーパ１１に書き込もうとする文書が機密文書であるか否かを判断する。例えば、パーソナル端末からＭＰＦ１へ、その文書データがセキュリティモードで伝送されてきた場合や、その文書データ中に、機密文書であることを意味するコードが含まれていた場合や、あるいは、利用者がＭＦＰ１のコントロールパネルに機密文書である旨の入力をした場合などに、ＭＰＦ１は、その文書が機密文書であると判断する。
【００２１】
その文書が機密でない場合には、機密でない旨を示す機密コードを電子ペーパ１１に書き込む。また、ＭＦＰ１は、その機密でない文書データから、その機密でない文書の画像（以下、「通常画像」という）を表したラスタイメージ形式の通常画像データに変換して、その通常画像データを電子ペーパ１１に書き込み、そして、その通常画像を電子ペーパ１１に表示させる。
【００２２】
他方、ＭＦＰ１は、その文書が機密文書である場合には、機密である旨を示す機密コードを電子ペーパ１１に書き込む。また、ＭＦＰ１は、その機密文書の文書データから、その機密文書の画像（以下、「機密画像」という）を表したラスタイメージ形式の機密画像データを生成して、電子ペーパ１１に書き込む。加えて、ＭＦＰ１は、マスクデータと認証データを、電子ペーパ１１に書き込む。そして、ＭＦＰ１は、電子ペーパ１１に認証データが書き込まれるまでは、電子ペーパ１１に、上記マスクデータに基づくマスク画像を表示させ、その後、認証データが書き込まれると、電子ペーパ１１に上記機密画像を表示させる。
【００２３】
ここで、上記マスクデータとは、上記マスク画像を生成するためのデータである。また、上記マスク画像とは、その画像を人が見ても機密画像の情報を正常に読み取ることができないような内容の画像をいう。マスク画像として、例えば、（１）機密画像とは全く関係のない別の画像、（２）機密画像の一部をマスクで隠した画像、（３）機密画像をスクランブルするなどして変形または暗号化した画像などが採用できる。この実施形態では、説明を簡単にするために、マスク画像には上記（１）を採用し、そして、マスクデータには、ラスタイメージ形式のマスク画像データそのものを採用する。なお、変形例として、電子ペーパ１１内にマスクデータが予め記憶されていてもよい（この場合は、ＭＦＰ１から電子ペーパ１１へのマスクデータの書き込みは省略してもよい）。
【００２４】
また、上記認証データとは、電子ペーパ１１がＭＦＰ１から切り離され後に、上記機密画像を表示するか否かを判断するために電子ペーパ１１内で行われる認証処理において使用されるコードデータである。この認証データは、ＭＦＰ１に予め記憶されているコードデータであってもよいし、あるいは、利用者からまたはパーソナル端末からまたは後述するキーユニット３１（図２参照から）ＭＦＰ１に入力されるコードデータであってもよい。或いは、変形例として、電子ペーパ１１内に予め認証データが予め記憶されていてもよい（この場合は、ＭＦＰ１から電子ペーパ１１への認証データの書き込みは省略してもよい）。
【００２５】
このようにして、ＭＦＰ１から電子ペーパ１１に、機密文書か否かに応じて上記のようなデータが書き込まれた後、利用者は、電子ペーパ１１をＭＦＰ１のホルダ部９から取り外す。ＭＦＰ１から切り離され後の電子ペーパ１１の機能については、後述する。
【００２６】
図２は、図1に示された電子ペーパ１１の構成を示す。
【００２７】
電子ペーパ１１は、画像を表示するための表示パネル１３、外部のキーユニット３１と接続してキーユニット３１からキーデータを入力するためのキーユニットインタフェース１５、図１に示されたＭＦＰ１と接続して上述した画像データ（機密画像データまたは通常画像データ）、機密コード、マスクデータ及び認証データを入力するためのプリンタインタフェース１７、入力された画像データ（機密画像データ又は通常画像データ）、機密コード、マスクデータ及び認証データを格納するためのデータメモリ１９、電子ペーパ１１内の諸部品を制御するための制御部２１、及び電子ペーパ１１の電源となるバッテリ２３などを備える。
【００２８】
ここで、キーユニット３１は、電子ペーパ１１とは分離された記憶装置（例えば、半導体メモリ、磁気カード、ＩＣカード、あるいは、携帯電話などのような携帯型情報処理装置等）であり、そこには、キーユニット３１が電子ペーパ１１に接続された時に電子ペーパ１１に読み込まれて、電子ペーパ１１内に記憶された上記認証データと照合されることになるキーデータが記憶されている。変形例として、上記のようなキーユニット３１に代えて、または、それと併用して、電子ペーパ１１上に設けられた入力ボタン、または電子ペーパ１１と接続される通信ネットワーク（有線又は無線）から、キーデータが電子ペーパ１１に入力できるようになっていてもよい。
【００２９】
制御部２１は、データメモリ１７に記憶されている画像データが、通常画像データであるか機密画像データであるかを、上記機密コードに基づいて判別する。制御部２１は、電子ペーパ１１がＭＦＰ１に接続されているときには、ＭＦＰ１からの制御に従って画像を表示パネル１３に表示するが、電子ペーパ１１がＭＦＰ１から切り離されているときには、次のようにして、画像を表示パネル１３に表示する。
【００３０】
すなわち、制御部２１は、上記判別の結果、データメモリ１７に記憶されている画像データが通常画像データである場合には、その通常画像データに基づく通常画像を表示パネル１３に表示する。他方、上記判別の結果、データメモリ１７に記憶されている画像データが機密画像データである場合には、制御部２１は、表示モードとしてマスク有効モードとマスク解除モードのいずれかを選択し、マスク有効モードを選択しているときには、マスクデータに基づくマスク画像を表示パネル１３に表示し、マスク解除モードを選択しているときには、機密画像データに基づく機密画像を表示パネル１３に表示する。マスク画像の一例は、図３に参照番号４０で示すようなものであり、他方、機密画像の例は、図３に参照番号４２で示すようなものである。
【００３１】
ここで、上記のマスク有効モードとマスク解除モードの選択は、次のようにして行われる。すなわち、電子ペーパ１１がＭＦＰ１から取り外された当初は、原則としてマスク有効モードが選択され、マスク画像３が表示される。その後、所定条件が成立すると、表示モードはマスク有効モードからマスク解除モードへ切り替えられて、機密画像４２が表示される。その後、その所定条件が不成立になると、表示モードはマスク解除モードからマスク有効モードへ切り替えられて、マスク画像４０が再び表示される。
【００３２】
上記所定条件の一例として、本実施形態では、キーユニット３１が電子ペーパ１１に接続されており、かつ、キーユニット３１内のキーデータと電子ペーパ１１内の認証データとを用いた認証処理が成功したこと、が採用される。すなわち、電子ペーパ１１がＭＦＰ１から取り外された後に、利用者がキーユニット３１を電子ペーパ１１に接続すると、制御部２１は、キーユニット３１からキーユニットインタフェース１５を通じて上記キーデータを読み込み、入力されたキーデータと、データメモリ１７に記憶されている認証データとを用いて認証処理を行う。この認証処理の方法の一例として、本実施形態では、キーデータと認証データとを照合して、両者が一致していれば認証成功、不一致ならば認証失敗と判断する方法が採用されるが、別の方法が採用されてもよい。この認証処理の結果が認証成功であれば、制御部２１は、表示モードをマスク有効モードからマスク解除モードへと切り替えて、機密画像データに基づく機密画像を表示パネル１３に表示するが、認証失敗であれば、マスク有効モードを維持して、機密画像を表示しない。また、一旦、認証が成功して機密画像を表示した後、キーユニット３１が電子ペーパ１１から切り離されれば、制御部２１は、表示モードをマスク解除モードからマスク有効モードへと切り替えるので、表示パネル１３から機密画像４２が消えてマスク画像が再び表示される。
【００３３】
従って、執務室内でＭＦＰ１から電子ペーパ１１に機密画像データが書き込まれた場合、会議室内でのみキーユニット３１を電子ペーパ１１に接続するようにすれば、会議室内でのみ電子ペーパ１１に機密画像が表示されることになる。また、その会議質とは別の会議室で次の会議が開かれる場合、その会議室を出る前にキーユニット３１を電子ペーパ１１から抜き、別の会議室に入ってから再びキーユニット３１を電子ペーパ１１に接続すれば、その別の会議室で、機密画像を再表示させることができる。
【００３４】
変形例として、前記の条件成立時のみ機密画像を表示するという機能のセキュリティ性をより向上させるために、電子ペーパ１１に、前記の最初の条件とは別の条件の成立を検出する手段を設けて、上述した最初の条件（キーユニット３１が接続されていて、かつ認証が成功した）が成立した場合であっても、上記別条件が成立したならば、表示モードをマスク解除モードからマスク有効モードへと切り替えるようにしてもよい。上記別の条件としては、例えば、(１)電子ペーパ１１に設けた時計により時間（例えば、現在時刻、機密画像データ書き込み時からの経過時間、または、上記の最初の条件成立時からの経過時間など）を計測して、計測された時間が所定時間を超えたこと、(２) 電子ペーパ１１に設けた光センサにより電子ペーパ１１の周囲の明るさを検知して、その明るさが所定値以下に暗いこと、または、(３)）電子ペーパ１１の位置が所定場所（例えば、会議室、会議室のある建物など）内か外かどうかを（例えば、電子ペーパ１１に設けたＲＦＩＣタグのような無線受信ＩＣと、所定場所内に設けた無線発信機との協働により）検知して、その検地結果が所定場所外であること、などが採用することができる。上記(１)の方法を用いると、例えば、設定された会議の終了時に、上記（２）の方法を採用すると、例えば、会議室の照明が消えたり、可搬型画像記録表示装置がカバンの中に入れられたりした時に、また、上記（３）の方法を使用すると、可搬型画像記録表示装置が会議場所外へ持ち出された時に、（キーユニット３１が電子ペーパ１１に接続されたままであっても）機密画像からマスク画像に自動的に表示パネル１３の表示を切り替えることができる。
【００３５】
また、別の変形例として、上記の最初の条件として、上述したようなキーユニット３１が接続されていて、かつ認証が成功したという条件に代えて、またはそれと併用して、電子ペーパ１１の位置が所定場所（例えば、会議室、会議室のある建物など）内か外かどうかを（例えば、電子ペーパ１１に設けたＲＦＩＣタグのような無線受信ＩＣと、所定場所内に設けた無線発信機との協働により）検知して、その検地結果が所定場所内であるという条件を、採用することもできる。これにより、例えば、電子ペーパ１１が会議場所外へ持ち出された時に、（キーユニット３１が電子ペーパ１１に接続されたままであっても）機密画像からマスク画像に自動的に表示を切り替えることができる。
【００３６】
また、さらに別の変形例として、上述した表示モードを切り替えるいずれかの機能と併用して、上記のようにして電子ペーパ１１の位置が所定場所（例えば、会議室、会議室のある建物など）内か外かどうかを検知して、その検地結果が所定場所外である場合（または、所定場所内から外へと移動することが検知された場合）に、電子ペーパ１１又は所定場所内に設けられた警報器から警報を発するようにしてもよい。
【００３７】
次に、図４〜図６に示されたフローチャートを参照して、上述した構成をもつ本実施形態にかかるＭＦＰ１と電子ペーパ１１の動作について説明する。
【００３８】
図４は、ＭＦＰ１が電子ペーパ１１にデータを書き込む制御を示す。
【００３９】
図４に示すように、ＭＦＰ１は、外部のパーソナル端末などから文書データを受信すると、ＭＦＰ１のホルダ９に電子ペーパ１１が挿入済みであるか否かを判断し（ステップＳ１）、電子ペーパ１１がＭＦＰ１に挿入されていなければ（ステップＳ１でＮｏの場合）、ＭＦＰ１は通常の印刷処理を行う（すなわち、その受信した文書データをレンダリングして、その文書の画像を用紙に印刷する）（ステップＳ２）。
【００４０】
一方、ステップＳ１１で、電子ペーパ１１がＭＦＰ１に挿入されていれば（ステップＳ１でＹｅｓの場合）、ＭＦＰ１は、受信した文書データが機密文書データであるか否かを、前述した方法で判断する（ステップＳ３）。その結果、受信した文書データが機密文書データでなければ（ステップＳ３でＮｏの場合）、ＭＦＰ１は、その受信した文書データをレンダリングしてその文書の画像（通常画像）データを作成し、その通常画像データと、その通常画像データが機密でない旨を示す機密コードとを、電子ペーパ１１に書き込んで、その通常画像データに基づく通常画像を電子ペーパ１１に表示させる（ステップＳ４）。
【００４１】
一方、ステップＳ３で、ＭＦＰ１が受信した文書データが機密文書データであれば（ステップＳ３でＹｅｓの場合）、ＭＦＰ１は、その機密文書データをレンダリングして機密画像データを作成し、そして、その機密画像データと、その機密画像データが機密である旨を示す機密コードと、所定のマスクデータとを、電子ペーパ１１に書き込み、さらに、上記書き込まれたマスクデータに基づくマスク画像を電子ペーパ１１に表示させる（ステップＳ５）。
【００４２】
次に、ＭＦＰ１は、事前認証処理を行う（ステップＳ６）。事前認証処理では、ＭＦＰ１は、認証データ（上記パーソナル端末、は利用者またはキーユニット３１から入力されるか、または、ＭＦＰ１に予め設定されている）を電子ペーパ１１に書き込み（ただし、電子ペーパ１１に予め記憶されている認証データを用いる場合は、この認証データの書き込みは省略される）、その後に、電子ペーパ１１にその書き込まれた認証コードと同じコードのキーデータを電子ペーパ１１に入力して、電子ペーパ１１に上述した認証処理をテストとして行わせ、その認証結果をチェックする。
【００４３】
そして、上記事前認証の結果が判断され（ステップＳ７）、その結果が認証失敗であるときは（ステップＳ１７でＮｏの場合）、ＭＦＰ１は所定のエラー処理を行ない（ステップＳ１８）、一方、事前認証結果が認証成功であるときは（ステップＳ７でＹｅｓの場合）、ＭＦＰ１は、電子ペーパ１１に機密画像を表示させる（ステップＳ９）。
【００４４】
そして、ＭＦＰ１は、電子ペーパ１１がＭＦＰ１から抜き取られたか否かを判断し（ステップＳ１０）、ＭＦＰ１から電子ペーパ１１が抜き取られたら（ステップＳ１０でＹｅｓの場合）、上記の制御ルーチンを終了する。
【００４５】
図５は、電子ペーパ１１の制御部２１によって行われる制御の全体のフローを示す。
【００４６】
図５に示すように、電子ペーパ１１がＭＦＰ１に接続されているか否かが判断され（ステップＳ１１）、電子ペーパ１１がＭＦＰ１に接続されていなければ（ステップＳ１１でＮｏの場合）、ＭＦＰ１からの制御（図４に示したような制御）に従って電子ペーパ１１の動作が行われる（ステップＳ１２）。
【００４７】
一方、ステップＳ１１で、電子ペーパ１１がＭＦＰ１に接続されていれば（ステップＳ１１でＹｅｓの場合）、電子ペーパ１１に書き込まれた画像データが機密画像データであるか否かが、ＭＦＰ１からの機密コードに基づき判断される（ステップＳ１３）。その結果、電子ペーパ１１に書き込まれた画像データが機密画像データであれば（ステップＳ１３でＹｅｓの場合）、図６に示すような「機密画像データの表示制御」が行われる（ステップＳ１４）。一方、電子ペーパ１１に書き込まれた画像データが通常画像データであれば（ステップＳ１３でＮｏの場合）、「通常画像データの表示制御」を行われる（ステップＳ１５）。「通常画像データの表示制御」では、単純に、書き込まれた通常画像データに基づく通常画像が表示パネル１３に表示される。
【００４８】
図６は、図５に示された「機密画像データの表示制御」のフローを示す。
【００４９】
図６に示すように、電子ペーパ１１がＭＦＰ１から切り離されると、初期的に、マスク有効モードが選択されてマスク画像が表示パネル１３に表示される（ステップＳ２１）。
【００５０】
次に、電子ペーパ１１にキーユニット３１が接続されたか否かが判断され、キーユニット３１接続されると上記の認証処理が行われて、認証結果がチェックされる（ステップＳ２２）。その結果、電子ペーパ１１にキーユニット３１が接続されかつ認証結果が認証成功であれば（ステップＳ２２でＹｅｓの場合）、表示モードがマスク有効モードからマスク解除モードへ切り替えられて（ステップＳ２３）、機密画像が表示パネル１３に表示される（ステップＳ２４）。
【００５１】
次に、電子ペーパ１１からキーユニット３１が切り離されたか否かが判断され（ステップＳ２５）、キーユニット３１が切り離されたならば（ステップＳ２５でＹｅｓの場合）、表示モードを再びマスク有効モードに戻して、マスク画像を表示する（ステップＳ２６）。その後、再びキーユニット３１が電子ペーパ１１に接続されて、認証処理が成功すれば（ステップＳ２２）、機密画像が再び表示される（ステップＳ２３，２４）。
【００５２】
尚、変形例として、キーユニット３１を電子ペーパ１１に接続する代わりに、電子ペーパ１１をネットワークに接続することにより、外部から認証のためのキーデータを送信することによって電子ペーパ１１の表示モードを切り替えるようにしてもよい。
【００５３】
あるいは、キーユニット３１を電子ペーパ１１に接続すると、電子ペーパ１１がネットワークにアクセスできるようになり、そのネットワークを用いて認証処理を行うようにしてもよい。例えば、会議室においてキーユニット３１を電子ペーパ１１に接続することによって、電子ペーパ１１が社内のネットワーク上の管理サーバにアクセスできるようになり、そして、ネットワーク上の管理サーバで、キーユニット３１内のキーデータを電子ペーパ１１から受信して、そのキーデータと管理サーバに予め記憶されている認証データ（例えば、ＭＦＰ１に固有の識別コード）とを用いて、管理サーバが認証処理をおこなうようにしてもよい。さらに、この場合、電子ペーパ１１に記憶されているマスクデータは、ＭＦＰ１に固有のものであり、上記認証処理が成功すると、管理サーバが、そこに記憶されているＭＦＰ１に固有のマスク解除パターンを電子ペーパ１１に送る（これが、上述した所定条件の成立に該当する）ことで、電子ペーパ１１がマスクを解除して機密画像を表示する、ようにしてもよい。このように、電子ペーパ１１側でなく、管理サーバ側に認証機能を持たせるようにしてもよい。
【００５４】
以上、本発明の実施形態について詳細に説明したが、この実施形態は本発明の説明のための例示にすぎず、本発明の適用範囲をこの実施形態にのみ限定する趣旨ではない。本発明は、その要旨を逸脱することなく、その他の様々な態様でも実施することが可能である。
【図面の簡単な説明】
【００５５】
【図１】本発明に係る可搬型画像記録表示装置の一実施形態（電子ペーパ）及び電子ペーパへのデータ書込み装置の一実施形態の全体構成を示す図。
【図２】電子ペーパ１１の構成を示すブロック図。
【図３】マスク画像と機密画像の例を示す図。
【図４】ＭＦＰ１が電子ペーパ１１にデータを書き込む制御を示すフローチャート。
【図５】電子ペーパ１１で行われる制御の全体を示すフローチャート。
【図６】図５に示された「機密画像データの表示制御」を示すフローチャート。
【符号の説明】
【００５６】
１  ＭＦＰ（データ書込み装置）
３  プリンタ部
５  スキャナ部
７  制御パネル部
９  ホルダ部
１１  電子ペーパ（可搬型画像記録表示装置）
１３  表示パネル
１５  キーユニットインタフェース
１７  プリンタインタフェース
１９  データメモリ
２１  制御部
２３  バッテリ
３１  キーユニット
【図１】
2009157036.tif 000003
【図２】
2009157036.tif 000004
【図３】
2009157036.tif 000005
【図４】
2009157036.tif 000006
【図５】
2009157036.tif 000007
【図６】
2009157036.tif 000008